(57)【要約】【課題】絶縁部材又は導電部材に対し爪部を係止できる蓄電装置を提供する。【解決手段】内側絶縁部材３５は、導電部材１７と蓋１４とを絶縁する。絶縁カバー５０は、積層方向の一端側においてタブ群１５とケース本体１３の内面との間に介在するケース側絶縁部５１、導電部材１７と蓋１４との間に介在する板状の蓋側絶縁部５２、及び導電部材１７と電極組立体１２との間に介在する板状の電極側絶縁部５３を有する。電極側絶縁部５３は、積層方向の他端側に位置する端部に、内側絶縁部材３５に係止可能な爪部５６を有するとともに、タブ群１５の第２延在部１５ｅと電極組立体１２との間に介在する。電極側絶縁部５３は、第２延在部１５ｅと対向する部分に、電極組立体１２に向けて凹む回避部６１を備える。【選択図】図４
2019153383.tif 000002
【特許請求の範囲】
【請求項１】
電極が積層され、かつ前記電極から突出したタブが積層されたタブ群を有する電極組立体と、
前記電極組立体を収容するケース本体、及び前記ケース本体の開口部を閉塞する矩形板状の蓋を有するケースと、
前記蓋に固定された電極端子と、
前記蓋の内面に沿うように配置され、前記タブ群及び前記電極端子と接合された板状の導電部材と、
前記導電部材と前記蓋とを絶縁する絶縁部材と、
前記電極の積層方向の一端側において前記タブ群と前記ケース本体の内面との間に介在するケース側絶縁部、前記導電部材と前記蓋との間に介在する板状の蓋側絶縁部、及び前記導電部材と前記電極組立体との間に介在する板状の電極側絶縁部を有する絶縁カバーと、
を備え、
前記タブ群は、前記積層方向に沿って延びる第１延在部と、前記第１延在部と繋がり、前記積層方向の一端側で屈曲された屈曲部と、前記屈曲部から延びる第２延在部とを有し、
前記電極側絶縁部は、前記積層方向の他端側に位置する端部に、前記導電部材又は前記絶縁部材に係止可能な爪部を有するとともに、前記第２延在部と前記電極組立体との間に介在し、かつ前記第２延在部と対向する部分に、前記電極組立体に向けて凹む回避部を備えることを特徴とする蓄電装置。
【請求項２】
前記電極側絶縁部は、前記導電部材寄りの第１面に、前記積層方向に延び、かつ前記爪部が位置する第１リブを備えるとともに、前記第１面とは反対側の面であり、かつ前記電極組立体寄りの第２面に、前記第１リブに沿って延びる第２リブを備える請求項１に記載の蓄電装置。
【請求項３】
前記絶縁部材の主成分は、樹脂である請求項１又は請求項２に記載の蓄電装置。
【請求項４】
前記蓄電装置は、二次電池である請求項１〜請求項３の何れか一項に記載の蓄電装置。
【発明の詳細な説明】
【技術分野】
【０００１】
本発明は、絶縁カバーを備える蓄電装置に関する。
【背景技術】
【０００２】
従来から、ＥＶ（Electric Vehicle）やＰＨＶ（Plug in Hybrid Vehicle）などの車両には、走行用モータへの供給電力を蓄える蓄電装置としてリチウムイオン二次電池やニッケル水素二次電池などが搭載されている。二次電池は、シート状の正極電極及び負極電極が絶縁された状態で積層された電極組立体と、電極組立体を収容するケースとを備える。電極組立体は、正極電極の一辺から突出した正極タブが積層された正極タブ群と、負極電極の一辺から突出した負極タブが積層された負極タブ群とを有する。ケースは、有底筒状のケース本体と、ケース本体の開口部を閉塞する蓋とを有する。二次電池は、電極組立体と電気を授受する各極性の電極端子と、タブ群と電極端子とを電気的に接続する矩形板状の各極性の導電部材とを備える。各導電部材は、長手方向の一端部にタブ群と接合される電極接合部を備え、長手方向の他端部に電極端子と接合される端子接合部を備える。各導電部材は、蓋の内面に沿って配置される。
【０００３】
特許文献１に開示の二次電池は、導電部材の端子接合部と蓋の内面との間に配置される絶縁部材と、正極電極及び負極電極の積層方向の一端側から他端側に向けて取り付けられる絶縁カバーを備える。絶縁部材は、導電部材と蓋とを絶縁する。絶縁カバーは、蓋側絶縁部、ケース側絶縁部、及び端子側絶縁部を有する。蓋側絶縁部は、導電部材の電極接合部と蓋の内面との間に配置され、導電部材と蓋とを絶縁する。ケース側絶縁部は、積層方向の一端側においてタブ群とケース本体の内面との間に配置され、タブ群とケース本体とを絶縁する。端子側絶縁部は、導電部材の端子接合部と電極組立体との間に配置され、導電部材と電極組立体とを絶縁する。端子側絶縁部は、積層方向の他端側に位置する端部に、絶縁部材に係止可能な爪部を有する。なお、端子側絶縁部の爪部は、導電部材に係止される構成にしてもよい。
【０００４】
特許文献２に開示の二次電池では、タブ群は、積層方向に沿って延びる第１延在部と、第１延在部と繋がり、積層方向の一端側で屈曲された屈曲部と、屈曲部から延びる第２延在部とを有する。このような構成のタブ群では、屈曲部が屈曲前の形状に戻ろうとすることにより、第２延在部が屈曲部を軸に電極組立体側に向けて回動することがある。すると、タブ群が電極組立体に接触し、タブ群と電極組立体とが短絡する虞がある。このため、例えば、特許文献１に開示の絶縁カバーを採用する場合、端子側絶縁部をタブ群に向けて延長し、タブ群の第２延在部と電極組立体とを絶縁するタブ側絶縁部を設けることが考えられる。
【先行技術文献】
【特許文献】
【０００５】
【特許文献１】特開２０１７−１１７６４７号公報
【特許文献２】特開２０１５−１０６５３４号公報
【発明の概要】
【発明が解決しようとする課題】
【０００６】
ところで、端子側絶縁部とタブ側絶縁部とが連続する構成の絶縁カバーにおいて、タブ側絶縁部は、電極組立体側に回動する第２延在部により電極組立体側に押し下げられることがある。すると、タブ側絶縁部と連続する端子側絶縁部も電極組立体側に押し下げられる。これにより、絶縁部材又は導電部材に対して端子側絶縁部の爪部を係止できない虞がある。
【０００７】
本発明は、上記課題を解決するためになされたものであり、その目的は、絶縁部材又は導電部材に対し爪部を係止できる蓄電装置を提供することにある。
【課題を解決するための手段】
【０００８】
上記問題点を解決するための蓄電装置は、電極が積層され、かつ前記電極から突出したタブが積層されたタブ群を有する電極組立体と、前記電極組立体を収容するケース本体、及び前記ケース本体の開口部を閉塞する矩形板状の蓋を有するケースと、前記蓋に固定された電極端子と、前記蓋の内面に沿うように配置され、前記タブ群及び前記電極端子と接合された板状の導電部材と、前記導電部材と前記蓋とを絶縁する絶縁部材と、前記電極の積層方向の一端側において前記タブ群と前記ケース本体の内面との間に介在するケース側絶縁部、前記導電部材と前記蓋との間に介在する板状の蓋側絶縁部、及び前記導電部材と前記電極組立体との間に介在する板状の電極側絶縁部を有する絶縁カバーと、を備え、前記タブ群は、前記積層方向に沿って延びる第１延在部と、前記第１延在部と繋がり、前記積層方向の一端側で屈曲された屈曲部と、前記屈曲部から延びる第２延在部とを有し、前記電極側絶縁部は、前記積層方向の他端側に位置する端部に、前記導電部材又は前記絶縁部材に係止可能な爪部を有するとともに、前記第２延在部と前記電極組立体との間に介在し、かつ前記第２延在部と対向する部分に、前記電極組立体に向けて凹む回避部を備えることを要旨とする。
【０００９】
タブ群の屈曲部が屈曲前の形状に戻ろうとすることにより、第２延在部は、屈曲部を軸に電極組立体側に回動することがある。このため、絶縁カバーを積層方向の一端側から他端側に向けて取り付ける際、電極側絶縁部における第２延在部と対向する部分は、第２延在部によって電極組立体のタブ側端面に向けて押し下げられ、電極側絶縁部の位置は、電極組立体側に下がる。さらに絶縁カバーを挿入し続けると、電極組立体側に凹む回避部とタブ群の第２延在部とが対向し、凹んだ部分に第２延在部の一部が収容される。これにより、第２延在部がタブ側絶縁部を押し下げる力が吸収され、タブ側絶縁部は、押し下げられる前の位置に戻る。よって、絶縁部材又は導電部材に対して爪部を係止できる。
【００１０】
また、上記蓄電装置について、前記電極側絶縁部は、前記導電部材寄りの第１面に、前記積層方向に延び、かつ前記爪部が位置する第１リブを備えるとともに、前記第１面とは反対側の面であり、かつ前記電極組立体寄りの第２面に、前記第１リブに沿って延びる第２リブを備えるのが好ましい。
【００１１】
電極側絶縁部が第１リブ及び第２リブの何れか一方を備える場合、絶縁カバーを射出成形する際に、第１面と第２面とで収縮力に差が生じることで、電極側絶縁部に反りが発生することがある。これに対し、第１面に設けられた第１リブと同様のリブを、第２リブとして第２面にも設けることで、第１面と第２面との収縮力の差を低減できる。よって、絶縁カバーの形成時における電極側絶縁部の反りの発生を抑制できる。
【００１２】
また、上記蓄電装置について、前記絶縁部材の主成分は、樹脂である。
また、上記蓄電装置について、前記蓄電装置は、二次電池である。
【発明の効果】
【００１３】
本発明によれば、絶縁部材又は導電部材に対し爪部を係止できる。
【図面の簡単な説明】
【００１４】
【図１】実施形態の二次電池の分解斜視図。
【図２】二次電池の断面図。
【図３】絶縁カバーの斜視図。
【図４】図２における４−４線断面図。
【発明を実施するための形態】
【００１５】
以下、蓄電装置を二次電池に具体化した一実施形態を図１〜図４にしたがって説明する。
図１及び図２に示すように、蓄電装置としての二次電池１０は、ケース１１と、ケース１１に収容された電極組立体１２とを備える。ケース１１は、直方体状のケース本体１３と、ケース本体１３の開口部１３ａを閉塞する矩形平板状の蓋１４とを有する。ケース１１を構成するケース本体１３と蓋１４は、何れも金属製（例えば、ステンレスやアルミニウム）である。また、本実施形態の二次電池１０は、その外観が角型をなす角型電池である。また、本実施形態の二次電池１０は、リチウムイオン電池である。
【００１６】
ケース本体１３は、矩形板状の底壁１３ｂと、底壁１３ｂの一対の長側縁部から立設された長側壁１３ｃと、底壁１３ｂの一対の短側縁部から立設された短側壁１３ｄとを有する。蓋１４において、ケース１１の内側に臨む面を内面１４ａとし、ケース１１の外側に臨む面を外面１４ｂとする。
【００１７】
図３に示すように、電極組立体１２は、シート状の複数の電極としての正極電極２１と、電極としての負極電極２２と、セパレータ２３とを備える。電極組立体１２は、正極電極２１と負極電極２２との間にセパレータ２３を介在させ、かつ相互に絶縁させた状態で積層した層状構造を備える。正極電極２１及び負極電極２２が積層された方向を積層方向とする。蓋１４の短手方向は、積層方向と一致する。
【００１８】
正極電極２１は、矩形シート状の正極金属箔（例えばアルミニウム箔）２４と、正極金属箔２４の両面に存在する正極活物質層２５とを有する。正極電極２１は、一対の長縁部のうちの一方の長縁部の一部から突出した矩形状の正極のタブ２６を有する。正極のタブ２６は、正極活物質層２５が存在せず、正極金属箔２４そのもので構成されている。負極電極２２は、矩形シート状の負極金属箔（例えば銅箔）２７と、負極金属箔２７の両面に存在する負極活物質層２８とを有する。負極電極２２は、一対の長縁部のうち一方の長縁部の一部から突出した矩形状の負極のタブ２６を有する。負極のタブ２６は、負極活物質層２８が存在せず、負極金属箔２７そのもので構成されている。
【００１９】
各正極電極２１は、それぞれの正極のタブ２６が積層方向に沿って列状に配置されるように積層される。各負極電極２２は、それぞれの負極のタブ２６が、正極のタブ２６と重ならない位置で積層方向に沿って列状に配置されるように積層される。電極組立体１２は、正極のタブ２６が積層された正極のタブ群１５と、負極のタブ２６が積層された負極のタブ群１５とを備える。電極組立体１２において、正極及び負極のタブ群１５が存在する端面をタブ側端面１２ａとする。電極組立体１２は、タブ側端面１２ａ以外の端面が絶縁フィルムＦに覆われることで、ケース本体１３から絶縁される。
【００２０】
タブ群１５は、タブ２６の基端部が寄せ集められ、かつ電極組立体１２のタブ側端面１２ａから離れる方向に延びる集箔部１５ａと、集箔部１５ａよりも先端側で屈曲された第１屈曲部１５ｂとを有する。また、タブ群１５は、第１屈曲部１５ｂから積層方向に沿って延びる第１延在部１５ｃと、第１延在部１５ｃよりも先端側で屈曲された屈曲部としての第２屈曲部１５ｄとを有する。また、タブ群１５は、第２屈曲部１５ｄから延びる第２延在部１５ｅを有する。第２屈曲部１５ｄは、積層方向の一端側に位置し、第１屈曲部１５ｂは、積層方向の他端側に位置する。よって、第１延在部１５ｃは、積層方向の一端側から他端側に延びている。
【００２１】
図２に示すように、正極のタブ群１５には、電極組立体１２と後述する正極の端子構造部１６とを電気的に接続するための矩形板状の正極の導電部材１７が接合される。また、負極のタブ群１５には、電極組立体１２と後述する負極の端子構造部１６とを電気的に接続するための矩形板状の負極の導電部材１７が接合される。各極性の導電部材１７は、蓋１４の内面１４ａに沿うようにして、蓋１４の内面１４ａと電極組立体１２のタブ側端面１２ａとの間に配置されている。導電部材１７の長手方向は、蓋１４の長手方向と一致し、導電部材１７の短手方向は、積層方向と一致する。導電部材１７の長手方向の端部のうち、蓋１４の長手方向の中央寄りの端部を一端部とし、蓋１４の短縁部寄りの端部を他端部とする。導電部材１７は、長手方向の一端部にタブ群１５と接合された電極接合部１７ａを備え、長手方向の他端部に端子構造部１６の一部と接合された端子接合部１７ｂを備える。
【００２２】
正極の端子構造部１６は、蓋１４の長手方向の一端側に配置され、負極の端子構造部１６は、蓋１４の長手方向の他端側に配置される。端子構造部１６は、電極組立体１２と電気を授受する電極端子としての引出端子３１を備える。引出端子３１の一端は、導電部材１７の端子接合部１７ｂと電気的に接続されている。引出端子３１の他端は、蓋１４を貫通してケース１１の外部に突出している。端子構造部１６は、ケース１１の外部で引出端子３１の他端と電気的に接続された端子接合部材３２と、端子接合部材３２と電気的に接続された外部接続端子３３とを備える。
【００２３】
また、端子構造部１６は、ケース１１の外部に配置された外側絶縁部材３４と、ケース１１の内部に配置された絶縁部材としての内側絶縁部材３５とを備える。外側絶縁部材３４及び内側絶縁部材３５の主成分は、樹脂である。外側絶縁部材３４は、端子接合部材３２及び外部接続端子３３と蓋１４の外面１４ｂとの間に配置され、端子接合部材３２及び外部接続端子３３と蓋１４とを絶縁する。
【００２４】
図２及び図４に示すように、内側絶縁部材３５は、矩形板状の板状絶縁部３６を備える。板状絶縁部３６は、導電部材１７の端子接合部１７ｂと蓋１４の内面１４ａとの間に配置されている。引出端子３１は板状絶縁部３６を貫通する。図４に示すように、板状絶縁部３６は、蓋１４の長手方向に延びる一対の縁部から電極組立体１２に向けて立設する第１壁部（図示せず）及び第２壁部３７ｂを備える。第１壁部は、積層方向の一端側に位置し、第２壁部３７ｂは、積層方向の他端側に位置する。図２に示すように、板状絶縁部３６は、積層方向に延びる一対の縁部のうち、蓋１４の長手方向の短縁部寄りに位置する縁部に第３壁部３７ｃを備える。よって、第１〜第３壁部３７ｂ，３７ｃは、板状絶縁部３６の厚さ方向から見たとき、蓋１４の長手方向の中央に向けて開口するコ字型である。積層方向において、第１壁部の内面と第２壁部３７ｂの内面との距離は、端子接合部１７ｂの短手方向の寸法よりも僅かに大きい。
【００２５】
図４に示すように、内側絶縁部材３５は、板状絶縁部３６における蓋１４の内面１４ａと対向する面とは反対側の面と、第１〜第３壁部３７ｂ，３７ｃの内面とによって囲まれた収容部３８を備える。導電部材１７の端子接合部１７ｂは、収容部３８に収容されるとともに、第１壁部と第２壁部３７ｂとによって積層方向に挟持されている。また、導電部材１７は、蓋１４の長手方向の短縁部側に移動しないように第３壁部３７ｃによって位置決めされる。
【００２６】
電極組立体１２、蓋１４、各極性の端子構造部１６、及び各極性の導電部材１７は、蓋端子組立体Ｗとして一体化されている。
図１及び図２に示すように、二次電池１０は、電極組立体１２のタブ側端面１２ａと蓋１４の内面１４ａとの間に配置された絶縁カバー５０を備える。絶縁カバー５０の主成分は樹脂である。絶縁カバー５０は、蓋端子組立体Ｗに対し、積層方向の一端側から他端側に向けて取り付けられる。
【００２７】
図１及び図３に示すように、絶縁カバー５０は、矩形板状のケース側絶縁部５１を備える。図４に示すように、ケース側絶縁部５１は、各極性のタブ群１５の第２屈曲部１５ｄを積層方向の一端側から覆い、各極性のタブ群１５とケース本体１３の内面とを絶縁する。よって、ケース側絶縁部５１は、積層方向の一端側において、タブ群１５とケース本体１３との間に介在する。
【００２８】
図２及び図３に示すように、絶縁カバー５０は、蓋１４の長手方向に延びるケース側絶縁部５１の一対の長縁部のうち、蓋１４寄りの長縁部から積層方向の他端側に向けて延出した矩形板状の蓋側絶縁部５２を備える。蓋側絶縁部５２の長手方向は、蓋１４の長手方向と一致し、蓋側絶縁部５２の短手方向は、積層方向と一致する。蓋側絶縁部５２は、各極性の導電部材１７の電極接合部１７ａと蓋１４の内面１４ａとの間に介在し、各極性の導電部材１７と蓋１４とを絶縁する。蓋側絶縁部５２は、各極性の導電部材１７の電極接合部１７ａに支持されている。
【００２９】
図１及び図４に示すように、絶縁カバー５０は、ケース側絶縁部５１の一対の長縁部のうち、電極組立体１２寄りの長縁部の一部から積層方向の他端側に向けて延出した板状の各極性の電極側絶縁部５３を備える。正極の電極側絶縁部５３は、ケース側絶縁部５１の長縁部の一端部から延出し、負極の電極側絶縁部５３は、ケース側絶縁部５１の長縁部の他端部から延出する。よって、正極の電極側絶縁部５３は、蓋１４の長手方向の一端側に位置し、負極の電極側絶縁部５３は、蓋１４の長手方向の他端側に位置する。電極側絶縁部５３は、導電部材１７寄りの面に第１面５３ａを備え、第１面５３ａとは反対側の面であり、電極組立体１２のタブ側端面１２ａ寄りの面に第２面５３ｂを備える。
【００３０】
図３に示すように、電極側絶縁部５３は、蓋側絶縁部５２の厚さ方向から見て、蓋側絶縁部５２の一部と重なる矩形平板状のタブ側絶縁部５４と、タブ側絶縁部５４と連続し、かつ蓋側絶縁部５２の長手方向の端部からはみ出す矩形平板状の端子側絶縁部５５とを有する。タブ側絶縁部５４の長手方向は、蓋１４の長手方向と一致し、タブ側絶縁部５４の短手方向は、積層方向と一致する。タブ側絶縁部５４の短手方向の寸法は、蓋側絶縁部５２の短手方向の寸法よりも短く、蓋１４の短手方向に沿う端子側絶縁部５５の寸法は、蓋側絶縁部５２の短手方向の寸法と同じである。
【００３１】
図４に示すように、タブ群１５は、導電部材１７とケース側絶縁部５１と電極側絶縁部５３のタブ側絶縁部５４とによって囲まれた空間に位置する。タブ側絶縁部５４は、タブ群１５の第２延在部１５ｅと、電極組立体１２のタブ側端面１２ａとの間に介在し、第２延在部１５ｅを電極組立体１２側から覆う。タブ側絶縁部５４は、タブ群１５と電極組立体１２とを絶縁する。図３に示すように、タブ側絶縁部５４は、蓋１４の長手方向の中央寄りに位置し、かつ積層方向に沿う縁部にタブ側縁部５４ａを有する。
【００３２】
図４に示すように、電極側絶縁部５３は、タブ側絶縁部５４におけるタブ群１５の第２延在部１５ｅと対向する部分に、電極組立体１２に向けて凹む回避部６１を備える。本実施形態の回避部６１は、矩形平板状の底面６１ａと、底面６１ａの各縁部から立設するとともにタブ側絶縁部５４に繋がる４つの側壁６１ｂとを有する。蓋１４の長手方向から見た回避部６１の断面形状は、蓋側絶縁部５２に向けて開口するコ字型である。底面６１ａの長手方向及び短手方向はそれぞれ、タブ側絶縁部５４の長手方向及び短手方向と一致する。底面６１ａの長手方向の寸法は、蓋１４の長手方向に沿うタブ２６の寸法よりも大きい。回避部６１は、底面６１ａと４つの側壁６１ｂとによって囲まれた空間に、タブ群１５の第２延在部１５ｅの一部が収容されるタブ収容部６２を備える。
【００３３】
端子側絶縁部５５は、導電部材１７の端子接合部１７ｂと電極組立体１２のタブ側端面１２ａとの間に介在し、導電部材１７の端子接合部１７ｂを電極組立体１２側から覆う。端子側絶縁部５５は、導電部材１７と電極組立体１２とを絶縁する。図３に示すように、端子側絶縁部５５は、積層方向に沿う一対の縁部のうち、タブ側絶縁部５４寄りの縁部に境界縁部５５ａを備え、境界縁部５５ａとは反対側の縁部に端子側縁部５５ｂを備える。
【００３４】
図１に示すように、電極側絶縁部５３は、端子側絶縁部５５の第１面５３ａから突出する爪部５６を備える。爪部５６は、積層方向の他端側に位置する。本実施形態では、爪部５６は、蓋１４の長手方向において境界縁部５５ａ寄りに位置する。図４に示すように、爪部５６は、内側絶縁部材３５の第２壁部３７ｂの外面に係止される。
【００３５】
図１に示すように、電極側絶縁部５３は、端子側絶縁部５５の第１面５３ａから突出する第１リブ５７を備える。第１リブ５７は、爪部５６から境界縁部５５ａに沿って積層方向の他端側に向けて延びる四角柱状である。第１リブ５７は、端子側絶縁部５５において蓋１４の短手方向全体に存在する。第１面５３ａからの第１リブ５７の突出量は、蓋１４の短手方向全体で同じである。図３に示すように、電極側絶縁部５３は、端子側絶縁部５５の第２面５３ｂから突出する第２リブ５８を備える。各第２リブ５８は、第１リブ５７に沿って延びる四角柱状である。よって、各第２リブ５８は、端子側絶縁部５５において蓋１４の短手方向全体に存在する。第２面５３ｂからの第２リブ５８の突出量は、蓋１４の短手方向全体で同じである。
【００３６】
次に、二次電池の製造方法について説明する。
まず、蓋１４に、引出端子３１、端子接合部材３２、外部接続端子３３、外側絶縁部材３４、及び内側絶縁部材３５を組付け、端子構造部１６を製造する。次に、内側絶縁部材３５に挟持された導電部材１７の電極接合部１７ａに対し、電極組立体１２のタブ群１５を溶接して接合する。これにより、蓋端子組立体Ｗが製造される。次に、蓋端子組立体Ｗに対して絶縁カバー５０を取り付ける。そして、絶縁カバー５０が取り付けられた蓋端子組立体Ｗの電極組立体１２をケース本体１３の開口部１３ａからケース本体１３内に挿入し、ケース本体１３と蓋１４と接合することで、二次電池１０が製造される。
【００３７】
次に、蓋端子組立体Ｗに対する絶縁カバー５０の取り付け方法について、本実施形態の作用とともに説明する。
蓋端子組立体Ｗに対して、積層方向の一端側から他端側に向けて絶縁カバー５０を挿入すると、まず、蓋側絶縁部５２が、導電部材１７の電極接合部１７ａと蓋１４の内面１４ａとの間に挿入される。また、電極側絶縁部５３の端子側絶縁部５５の積層方向の他端部は、導電部材１７の端子接合部１７ｂと電極組立体１２のタブ側端面１２ａとの間に挿入される。
【００３８】
さらに絶縁カバー５０を積層方向の他端側に向けて挿入すると、電極側絶縁部５３のタブ側絶縁部５４が、タブ群１５の第２延在部１５ｅと電極組立体１２のタブ側端面１２ａとの間に挿入される。タブ群１５の第２屈曲部１５ｄが屈曲前の形状に戻ろうとすることにより、第２延在部１５ｅは、第２屈曲部１５ｄを軸に電極組立体１２側に回動することがある。このとき、タブ側絶縁部５４は、第２延在部１５ｅによって電極組立体１２のタブ側端面１２ａに向けて押し下げられ、タブ側絶縁部５４と連続する端子側絶縁部５５の位置も電極組立体１２側に下がる。
【００３９】
さらに絶縁カバー５０を挿入し続けると、タブ側絶縁部５４の回避部６１の底面６１ａとタブ群１５の第２延在部１５ｅとが対向し、タブ側絶縁部５４のタブ収容部６２にタブ群１５の第２延在部１５ｅが収容される。これにより、第２延在部１５ｅがタブ側絶縁部５４を押し下げる力が吸収され、タブ側絶縁部５４は、押し下げられる前の位置に戻り、タブ側絶縁部５４と連続する端子側絶縁部５５の位置も元の位置に戻る。そして、電極側絶縁部５３の爪部５６は、内側絶縁部材３５の第２壁部３７ｂに係止される。
【００４０】
次に、本実施形態の効果を記載する。
（１）タブ側絶縁部５４におけるタブ群１５と対向する部分に電極組立体１２側に凹む回避部６１を設けた。このため、タブ群１５の第２延在部１５ｅの一部は、回避部６１によって形成されたタブ収容部６２に収容される。これにより、第２延在部１５ｅがタブ側絶縁部５４を押し下げる力が吸収され、タブ側絶縁部５４は、押し下げられる前の位置に戻り、タブ側絶縁部５４と連続する端子側絶縁部５５の位置も元の位置に戻る。よって、内側絶縁部材３５の第２壁部３７ｂに電極側絶縁部５３の爪部５６を係止できる。
【００４１】
（２）電極側絶縁部５３は、第１面５３ａに第１リブ５７を備え、第２面５３ｂに第１リブ５７に沿って延びる第２リブ５８を備える。これにより、絶縁カバー５０の取り付け時に電極側絶縁部５３が撓んでも元の平板状に戻りやすくなる。また、電極側絶縁部５３が第１リブ５７及び第２リブ５８の何れか一方を備える場合、絶縁カバー５０を射出成形する際に、第１面５３ａと第２面５３ｂとで収縮力に差が生じることで、電極側絶縁部５３に反りが発生することがある。これに対し、第１面５３ａに設けられた第１リブ５７と同様のリブを、第２リブ５８として第２面５３ｂにも設けることで、第１面５３ａと第２面５３ｂとの収縮力の差を低減できる。よって、絶縁カバー５０の射出形成時における電極側絶縁部５３の反りの発生を抑制できる。
【００４２】
なお、上記実施形態は、以下のように変更してもよい。
○  正極電極２１において、正極活物質層２５は正極金属箔２４の片面に存在してもよい。同様に、負極電極２２において、負極活物質層２８は負極金属箔２７の片面に存在してもよい。
【００４３】
○  絶縁カバー５０の電極側絶縁部５３の爪部５６は、導電部材１７に係止される構成でもよい。
○  回避部６１の形状は、適宜変更してよい。
【００４４】
例えば、回避部６１は、上記実施形態と同様に蓋側絶縁部５２に向けて開口するとともに、さらに積層方向の他端側に向けて開口する凹部であってもよい。つまり、回避部６１は、矩形状の底面と、底面の４つの縁部のうち積層方向の他端側に位置する縁部を除いた３つの縁部と電極側絶縁部５３とを繋ぐ３つの側壁とを備える構成であってもよい。
【００４５】
また、例えば、回避部６１は、電極組立体１２側に向けて凸となるように湾曲する形状であってもよい。この場合、蓋１４の長手方向から見た回避部６１の断面形状は、蓋側絶縁部５２に向けて開口する椀状である。
【００４６】
○  上記実施形態では、正極及び負極の電極側絶縁部５３が回避部６１を備えていたが、正極及び負極の何れか一方の電極側絶縁部５３が回避部６１を備えていればよい。
○  正極の電極側絶縁部５３の回避部６１の形状と、負極の電極側絶縁部５３の回避部６１の形状は、異なっていてもよい。
【００４７】
○  電極側絶縁部５３において、第１リブ５７及び第２リブ５８を省略してもよい。
○  第１リブ５７の形状は、四角柱に限定されず、例えば半円柱や三角柱であってもよい。同様に、第２リブ５８の形状は、四角柱に限定されず、例えば半円柱や三角柱であってもよい。
【００４８】
○  電極側絶縁部５３の第１面５３ａからの第１リブ５７の突出量は、蓋１４の短手方向において異なっていてもよい。同様に、電極側絶縁部５３の第２面５３ｂからの第２リブ５８の突出量は、蓋１４の短手方向において異なっていてもよい。
【００４９】
○  蓄電装置は、例えばキャパシタなど、二次電池以外の蓄電装置にも適用可能である。
○  二次電池１０は、リチウムイオン二次電池以外の他の二次電池であってもよい。要は、正極用の活物質と負極用の活物質との間をイオンが移動するとともに電荷の教授を行うものであればよい。
【符号の説明】
【００５０】
１０…蓄電装置としての二次電池、１１…ケース、１２…電極組立体、１３…ケース本体、１３ａ…開口部、１４…蓋、１４ａ…内面、１５…タブ群、１５ｃ…第１延在部、１５ｄ…屈曲部としての第２屈曲部、１５ｅ…第２延在部、１７…導電部材、２６…タブ、３１…電極端子としての引出端子、３５…絶縁部材としての内側絶縁部材、５０…絶縁カバー、５１…ケース側絶縁部、５２…蓋側絶縁部、５３…電極側絶縁部、５３ａ…第１面、５３ｂ…第２面、５６…爪部、５７…第１リブ、５８…第２リブ、６１…回避部。
【図１】
2019153383.tif 000003
【図２】
2019153383.tif 000004
【図３】
2019153383.tif 000005
【図４】
2019153383.tif 000006